(57)【特許請求の範囲】
【請求項１】
複数のＮ拠点（Ｎは２以上の自然数）のレンタルオフィス等の共同作業スペースに設置される共同利用コンピュータシステムにおける共同利用コンピュータに対し、
Ｎ拠点全てにサーバが存在し、前記利用者が前記サーバ配下の前記共同利用コンピュータを使用する場合、
初回利用より前に、少なくとも、ユーザ名とパスワードをＮ拠点のうち任意の一つのサーバに登録し、
前記ユーザ名と前記パスワードに基づき、今回使用するいずれかの拠点に存在するサーバにおいてユーザ認証を経た上で、意図する作業処理を行うために、
当該共同利用コンピュータシステムの２回目以降の作業処理に際し、
当該共同利用コンピュータシステム内の任意のパソコンを使用するに先立ち、利用者の正当性を認証した後、前回のパソコン利用終了時までに利用者が共通初期アプリケーション環境のファイル群に追加保存した利用環境である差分ファイル群をサーバから読み出し、
前記パソコンに対して、前記共通初期アプリケーション環境のファイル群を上書きすることにより前回の作業処理終了時のパソコン環境を復元し、
前記利用者が共同利用コンピュータを利用した後、作業処理終了時までにサーバに差分ファイル群を保存し、
作業処理終了時に前記パソコンのハードディスクに前記共通初期アプリケーション環境のファイル群を復元させる一連の処理手順を実施するとともに、
前回、共同利用コンピュータが利用されたときに当該共同利用コンピュータを支配下におく前回使用サーバに、前回の作業終了時のパソコン環境のバックアップを行い、当該共同利用コンピュータの使用後に、前回と別の拠点にある今回使用サーバ支配下の共同利用コンピュータを使用する場合にのみ、当該前回使用サーバに記憶された前記差分ファイル群を当該今回使用サーバに複写した後、前記共通初期アプリケーション環境のファイル群に対して前記差分ファイル群を上書きすることにより前回の作業処理終了時のパソコン環境を復元する、
ことを特徴とする共同利用コンピュータ利用方法。
【請求項２】
前記前回使用サーバと前記今回使用サーバとは、
通信網を介して通信を行ない、
当該前回使用サーバから当該今回使用サーバへの前記差分ファイル群の複写は、当該通信網を介して行なう、
ことを特徴とする請求項１に記載の共同利用コンピュータ利用方法。
【請求項３】
前記前回使用サーバに記憶された前記差分ファイル群の前記今回使用サーバへの複写は、
当該前回使用サーバの支配下の共同利用コンピュータの利用後であって、当該今回使用サーバの支配下の共同利用コンピュータを使用する前に、当該今回使用サーバにつきインターネットにアクセスできる何らかの情報機器のＷＥＢブラウザを用いて指定する手法を用いる、
ことを特徴とする請求項１又は２に記載の共同利用コンピュータ利用方法。
【請求項４】
前記今回使用サーバは、
当該今回使用サーバの支配下の共同利用コンピュータが利用されるときに、前記前回使用サーバより複写した前記差分ファイル群に基づいて、当該前回使用サーバの利用環境を復元することにより、
前記前回使用サーバの支配下の共同利用コンピュータと前記今回使用サーバの支配下の共同利用コンピュータとで、同一の利用環境を復元する、
ことを特徴とする請求項１又は２に記載の共同利用コンピュータ利用方法。
【請求項５】
前記暗号化と前記復号化は、
共同利用コンピュータの利用者のみが使用できるＩＣカードに記憶させた鍵を用いて行ない、
共同利用コンピュータの利用後に、当該共同利用コンピュータの記憶手段に記憶されている情報の全てを一旦削除してから当該共同利用コンピュータに共通初期アプリケーション環境を復元しておき、
その後、共同利用コンピュータを利用する際に、前記今回使用サーバに複写された前記差分ファイル群を前記鍵により復号して再度利用する、
ことを特徴とする請求項１、２、３又は４に記載の共同利用コンピュータ利用方法。
【請求項６】
前記再度利用は、
ユーザ認証をして正当性が確認された利用者のみが当該再度利用することが可能となり、
現に再度利用する特定の共同利用コンピュータが前記今回使用サーバから前記差分ファイル群を取得し、当該取得した暗号文を前記ＩＣカードに記憶させた鍵により復号化して、当該特定の共同利用コンピュータの記憶手段に記憶させて、前記使用した環境を当該再度利用する特定の共同利用コンピュータに構築する、
ことを特徴とする請求項５に記載の共同利用コンピュータ利用方法。
【請求項７】
前記利用環境のバックアップは、
利用者固有の利用環境からなる初期設定情報を初期設定情報ファイルとして前記サーバ上に作成する処理を実施し、
利用者がレンタルオフィスの初回利用時の前に予め自分用の環境を登録する場合に限り、当該初期設定情報ファイルを他の全ての前記サーバに複写する処理をも実施する、
ことを特徴とする請求項１、２、３、４、５又は６に記載の共同利用コンピュータ利用方法。
【請求項８】
前記差分ファイル群は、
前記利用者が前記特定の共同利用コンピュータに設定するメール設定情報、アクセス環境情報、ブラウザ設定情報の何れかを含む通信環境情報、辞書設定情報の１以上を含んでなる環境情報と、
前記利用者がインターネットを含む外部通信網を介し前記特定の共同利用コンピュータを用いて作成したファイル群の暗号文と、を有する、
ことを特徴とする請求項１、２、３、４、５、６又は７に記載の共同利用コンピュータ利用方法。
【請求項９】
複数のＮ拠点（Ｎは２以上の自然数）のレンタルオフィス等の共同作業スペースに設置される共同利用コンピュータシステムにおける共同利用コンピュータに対し、
Ｎ拠点全てにサーバが存在し、前記利用者が前記サーバ配下の前記共同利用コンピュータを使用する場合、
初回利用より前に、少なくとも、ユーザ名とパスワードをＮ拠点のうち任意の一つのサーバに登録し、
前記ユーザ名と前記パスワードに基づき、今回使用するいずれかの拠点に存在するサーバにおいてユーザ認証を経た上で、意図する作業処理を行うために、
当該共同利用コンピュータシステムの２回目以降の作業処理に際し、
当該共同利用コンピュータシステム内の任意のパソコンを使用するに先立ち、利用者の正当性を認証した後、前回のパソコン利用終了時までに利用者が共通初期アプリケーション環境のファイル群に追加保存した利用環境である差分ファイル群をサーバから読み出し、
前記パソコンに対して、前記共通初期アプリケーション環境のファイル群を上書きすることにより前回の作業処理終了時のパソコン環境を復元し、
前記利用者が共同利用コンピュータを利用した後、作業処理終了時までにサーバに差分ファイル群を保存し、
作業処理終了時に前記パソコンのハードディスクに前記共通初期アプリケーション環境のファイル群を復元させる一連の処理手順を実施するとともに、
前記サーバ同士は拠点間を結んで接続した通信網を介して通信を行い、当該サーバ間の前記差分ファイル群の複写は、当該通信網を介して行い、
前回、共同利用コンピュータが利用されたときに当該共同利用コンピュータを支配下におく前回使用サーバに、前回の作業終了時のパソコン環境のバックアップを行い、当該共同利用コンピュータの使用後に、前回と別の拠点にある今回使用サーバ支配下の共同利用コンピュータを使用する場合にのみ、当該今回使用サーバの支配下の共同利用コンピュータを使用する前に、当該今回使用サーバにつきＷＥＢブラウザを用いて指定することで、当該前回使用サーバに記憶された前記差分ファイル群を当該今回使用サーバに前記通信網経由で複写した後、前記共通初期アプリケーション環境のファイル群に対して前記差分ファイル群を上書きすることにより前回の作業処理終了時のパソコン環境を復元する、
ことを特徴とする共同利用コンピュータ利用方法。
【発明の詳細な説明】
【０００１】
本発明は、レンタルオフィス、リモートオフィスといった共同利用形態であっても汎用オペレーションシステムのコンピュータ（パソコン）をハイセキュリティに使用可能にする共同利用コンピュータ利用方法に関するものである。
【０００２】
【従来の技術】
従来、レンタルオフィス、リモートオフィスでは、その場所に存在する汎用オペレーションシステムのパソコンを共同で利用するか（かかるパソコンを共同利用パソコンとする）、又は、各自でパソコンを持ち込んで利用する（かかるパソコンを持込パソコンとする）必要があった。
【０００３】
【発明が解決しようとする課題】
しかしながら、持込パソコンを使用する場合には、ネットワークの設定といった個別の設定事項は、自分専用にすることができ、使用環境のカスタマイズは実現できるものの、パソコン自体を持ち運ぶことが必須条件となり不便であった。
【０００４】
一方、共同利用パソコン（一般のスタンドアローンパソコン、ＯＳはWindows95，同98，MACOSなど）を使用する場合、自分の会社のネットワークにリモート接続したり、また、インターネットに接続したりする為に、利用する前に、事前に、ネットワークの接続を変更したり、メールソフトの各種の設定を行うことを余儀なくされ、日本語の入力に際しても、日本語の辞書なども共同利用となる為、効率が悪く不便であり、ファイルをハードディスクに保存する際のセキュリティについて、常に利用者自身が注意を払う必要があった。
【０００５】
このようなセキュリティについての問題点を解決する方法としては、特願平１１−２０６０２６号に記載されているところの共同利用コンピュータ利用方法が考え出されている。この共同利用コンピュータ利用方法では、
第１の効果として、利用者がパソコンを利用する際に、自分が以前使用していた環境を引き続き別のパソコンで使用することが可能となり、
第２の効果として、共同利用パソコンが複数箇所に設置されている場合であって、その設置箇所がそれぞれ別の場所である場合でも第１の効果を達成できる。
【０００６】
即ち、特願平１１−２０６０２６号に記載されている共同利用コンピュータ利用方法では、使用環境をバックアップしたパソコンと、その使用環境を復元するパソコンが別であり、それぞれ別の場所に設置されている場合でも、従前の使用環境を不都合なく復元することを可能とする。
【０００７】
上述の第１の効果を実現する手段としては、共同利用コンピュータにおいて、利用者が使った情報を当該共同利用コンピュータにおいて暗号化し、暗号化した暗号文を当該共同利用コンピュータに対するサーバの記憶手段に暗号化差分情報として記憶させておき（以下、利用環境のバックアップとする）、当該サーバに接続可能な共同利用コンピュータを別途使用する際に当該暗号化差分情報を当該共同利用コンピュータにて復号する（以下、利用環境の復元とする）手法が、特願平１１−２０６０２６号に記載されている。
【０００８】
上述の第２の効果を実現する手段としては、複数存在する拠点のすべてに設けられていてそれぞれ外部通信網に接続されたサーバに、それぞれ暗号化差分情報を保存させ、当該暗号化差分情報を外部通信網経由ですべて自動更新（以下、暗号化差分情報のミラーリングとする）で同期させることにより、第１のサーバで利用環境のバックアップを行ない、当該利用環境につき第２のサーバで復元する共同利用コンピュータの利用手法が、特願平１１−２０６０２６号の［発明の実施の形態］などに記載されている。
【０００９】
しかしながら、特願平１１−２０６０２６号の上述の第２の効果を実現する手法では、不要なトラフィックが生じる場合がある。例えば、ある利用者が同一のサーバの支配下にある共同利用コンピュータのみを利用する場合は、暗号差分情報のミラーリングを行なうことはまったく意味をなさない。また、この場合は、不要なトラフィックが発生するだけではなく、ミラーリングのためのサーバの無用な負荷及び無用なディスク領域確保の必要性も発生する。
【００１０】
ここにおいて、本発明の解決すべき主要な目的は以下の通りである。
即ち、本発明の第１の目的は、複数の拠点それぞれで共同利用コンピュータを利用する場合に、トラフィックを最小限にすることを可能とする共同利用コンピュータ利用方法を提供せんとするものである。
【００１１】
本発明の第２の目的は、複数の拠点それぞれで共同利用コンピュータを利用する場合に、各拠点それぞれに配置されたサーバの負荷を最小限にすることを可能とする共同利用コンピュータ利用方法を提供せんとするものである。
【００１２】
本発明の第３の目的は、複数の拠点それぞれで共同利用コンピュータを利用する場合に、各拠点それぞれに配置されたサーバのファイル容量を最小限にすることを可能とする共同利用コンピュータ利用方法を提供せんとするものである。
【００１３】
本発明の第４の目的は、利用した共同利用コンピュータでの環境を別の拠点の共同利用コンピュータにおいても即座に構築可能とするものであって、トラフィックを最小限にし、各拠点のサーバの負荷及びファイル容量を最小限にすることを可能とする共同利用コンピュータ利用方法を提供せんとするものである。
【００１４】
本発明の第５の目的は、利用者が構築した環境及び利用者の作成したファイルに関して当該利用者が注意を払うことを前提とせずに高いセキュリテイを維持することが可能であって、利用した共同利用コンピュータでの環境を別の拠点の共同利用コンピュータにおいても即座に構築可能で、且つトラフィックを最小限にし、各拠点のサーバの負荷及びファイル容量を最小限にすることを可能とする共同利用コンピュータ利用方法を提供せんとするものである。
【００１５】
本発明の他の目的は、明細書、図面、特に、特許請求の範囲における各請求項の記載から自ずと明らかとなろう。
【００１６】
【課題を解決するための手段】
本発明方法は、上記課題の解決に当たり、サーバが複数の拠点それぞれに配置されており、利用環境のバックアップをする前記サーバの一つである第１サーバと、当該第１サーバが配置されている拠点とは異なる拠点に配置されていて前記利用環境の復元をする前記サーバの一つである第２サーバと、を用い、前記第１サーバの支配下の共同利用コンピュータが利用されたときに、当該第１サーバに当該利用環境のバックアップを行ない、当該第１サーバの支配下の共同利用コンピュータの利用後に、前記第２サーバの支配下の共同利用コンピュータを使用する場合にのみ、当該第１サーバに記憶された前記暗号化差分情報を、当該第２サーバに複写してなる構成手法を講じる特徴を有する。
【００１８】
更に、具体的詳細に述べると、当該課題の解決では、本発明が次に列挙する上位概念から下位概念にわたる新規な特徴的構成手法を採用することにより、上記目的を達成するように為される。
【００１９】
即ち、本発明方法の第１の特徴は、複数のＮ拠点（Ｎは２以上の自然数）のレンタルオフィス等の共同作業スペースに設置される共同利用コンピュータシステムにおける共同利用コンピュータに対し、Ｎ拠点全てにサーバが存在し、前記利用者が前記サーバ配下の前記共同利用コンピュータを使用する場合、初回利用より前に、少なくとも、ユーザ名とパスワードをＮ拠点のうち任意の一つのサーバに登録し、前記ユーザ名と前記パスワードに基づき、今回使用するいずれかの拠点に存在するサーバにおいてユーザ認証を経た上で、意図する作業処理を行うために、当該共同利用コンピュータシステムの２回目以降の作業処理に際し、当該共同利用コンピュータシステム内の任意のパソコンを使用するに先立ち、利用者の正当性を認証した後、前回のパソコン利用終了時までに利用者が共通初期アプリケーション環境のファイル群に追加保存した利用環境である差分ファイル群をサーバから読み出し、前記パソコンに対して、前記共通初期アプリケーション環境のファイル群を上書きすることにより前回の作業処理終了時のパソコン環境を復元し、前記利用者が共同利用コンピュータを利用した後、作業処理終了時までにサーバに差分ファイル群を保存し、作業処理終了時に前記パソコンのハードディスクに前記共通初期アプリケーション環境のファイル群を復元させる一連の処理手順を実施するとともに、前回、共同利用コンピュータが利用されたときに当該共同利用コンピュータを支配下におく前回使用サーバに、前回の作業終了時のパソコン環境のバックアップを行い、当該共同利用コンピュータの使用後に、前回と別の拠点にある今回使用サーバ支配下の共同利用コンピュータを使用する場合にのみ、当該前回使用サーバに記憶された前記差分ファイル群を当該今回使用サーバに複写した後、前記共通初期アプリケーション環境のファイル群に対して前記差分ファイル群を上書きすることにより前回の作業処理終了時のパソコン環境を復元する共同利用コンピュータ利用方法の構成採用にある。
【００２０】
本発明方法の第２の特徴は、上記本発明方法の第１の特徴における前記前回使用サーバと前記今回使用サーバとが、通信網を介して通信を行ない、当該前回使用サーバから当該今回使用サーバへの前記差分ファイル群の複写は、当該通信網を介して実施してなる共同利用コンピュータ利用方法の構成採用にある。
【００２１】
本発明方法の第３の特徴は、上記本発明方法の第１又は第２の特徴における前記前回使用サーバに記憶された前記差分ファイル群の前記今回使用サーバへの複写が、当該前回使用サーバの支配下の共同利用コンピュータの利用後であって、当該今回使用サーバの支配下の共同利用コンピュータを使用する前に、当該今回使用サーバにつきインターネットにアクセスできる何らかの情報機器のＷＥＢブラウザを用いて指定する手法を用いてなる共同利用コンピュータ利用方法の構成採用にある。
【００２２】
本発明方法の第４の特徴は、上記本発明方法の第１又は第２の特徴における前記今回使用サーバが、当該今回使用サーバの支配下の共同利用コンピュータが利用されるときに、前記前回使用サーバより複写した前記差分ファイル群に基づいて、当該前回使用サーバの利用環境を復元することにより、前記前回使用サーバの支配下の共同利用コンピュータと前記今回使用サーバの支配下の共同利用コンピュータとで、同一の利用環境を復元してなる共同利用コンピュータ利用方法の構成採用にある。
【００２３】
本発明方法の第５の特徴は、上記本発明方法の第１、第２、第３又は第４の特徴における前記暗号化と前記復号化が、共同利用コンピュータの利用者のみが使用できるＩＣカードに記憶させた鍵を用いて行ない、共同利用コンピュータの利用後に、当該共同利用コンピュータの記憶手段に記憶されている情報の全てを一旦削除してから当該共同利用コンピュータに共通初期アプリケーション環境を復元しておき、その後、共同利用コンピュータを利用する際に、前記今回使用サーバに複写された前記差分ファイル群を前記鍵により復号して再度利用してなる共同利用コンピュータ利用方法の構成採用にある。
【００２４】
本発明方法の第６の特徴は、上記本発明方法の第５の特徴における前記再度利用が、ユーザ認証をして正当性が確認された利用者のみが当該再度利用することが可能となり、現に再度利用する特定の共同利用コンピュータが前記今回使用サーバから前記差分ファイル群を取得し、当該取得した暗号文を前記ＩＣカードに記憶させた鍵により復号化して、当該特定の共同利用コンピュータの記憶手段に記憶させて、前記使用した環境を当該再度利用する特定の共同利用コンピュータに構築してなる共同利用コンピュータ利用方法の構成採用にある。
【００２５】
本発明方法の第７の特徴は、上記本発明方法の第１、第２、第３、第４、第５又は第６の特徴における前記利用環境のバックアップが、利用者固有の利用環境からなる初期設定情報を初期設定情報ファイルとして前記サーバ上に作成する処理を実施し、利用者がレンタルオフィスの初回利用時の前に予め自分用の環境を登録する場合に限り、当該初期設定情報ファイルを他の全ての前記サーバに複写する処理をも実施してなる共同利用コンピュータ利用方法の構成採用にある。
【００２６】
本発明方法の第８の特徴は、上記本発明方法の第１、第２、第３、第４、第５、第６又は第７の特徴における前記差分ファイル群が、前記利用者が前記特定の共同利用コンピュータに設定するメール設定情報、アクセス環境情報、ブラウザ設定情報の何れかを含む通信環境情報、辞書設定情報の１以上を含んでなる環境情報と、前記利用者がインターネットを含む外部通信網を介し前記特定の共同利用コンピュータを用いて作成したファイル群の暗号文と、を有してなる共同利用コンピュータ利用方法の構成採用にある。
【００２７】
本発明方法の第９の特徴は、複数のＮ拠点（Ｎは２以上の自然数）のレンタルオフィス等の共同作業スペースに設置される共同利用コンピュータシステムにおける共同利用コンピュータに対し、Ｎ拠点全てにサーバが存在し、前記利用者が前記サーバ配下の前記共同利用コンピュータを使用する場合、初回利用より前に、少なくとも、ユーザ名とパスワードをＮ拠点のうち任意の一つのサーバに登録し、前記ユーザ名と前記パスワードに基づき、今回使用するいずれかの拠点に存在するサーバにおいてユーザ認証を経た上で、意図する作業処理を行うために、当該共同利用コンピュータシステムの２回目以降の作業処理に際し、当該共同利用コンピュータシステム内の任意のパソコンを使用するに先立ち、利用者の正当性を認証した後、前回のパソコン利用終了時までに利用者が共通初期アプリケーション環境のファイル群に追加保存した利用環境である差分ファイル群をサーバから読み出し、前記パソコンに対して、前記共通初期アプリケーション環境のファイル群を上書きすることにより前回の作業処理終了時のパソコン環境を復元し、前記利用者が共同利用コンピュータを利用した後、作業処理終了時までにサーバに差分ファイル群を保存し、作業処理終了時に前記パソコンのハードディスクに前記共通初期アプリケーション環境のファイル群を復元させる一連の処理手順を実施するとともに、前記サーバ同士は拠点間を結んで接続した通信網を介して通信を行い、当該サーバ間の前記差分ファイル群の複写は、当該通信網を介して行い、前回、共同利用コンピュータが利用されたときに当該共同利用コンピュータを支配下におく前回使用サーバに、前回の作業終了時のパソコン環境のバックアップを行い、当該共同利用コンピュータの使用後に、前回と別の拠点にある今回使用サーバ支配下の共同利用コンピュータを使用する場合にのみ、当該今回使用サーバの支配下の共同利用コンピュータを使用する前に、当該今回使用サーバにつきＷＥＢブラウザを用いて指定することで、当該前回使用サーバに記憶された前記差分ファイル群を当該今回使用サーバに前記通信網経由で複写した後、前記共通初期アプリケーション環境のファイル群に対して前記差分ファイル群を上書きすることにより前回の作業処理終了時のパソコン環境を復元する共同利用コンピュータ利用方法の構成採用にある。
【００３４】
【発明の実施の形態】
以下、添付図面を参照しながら、本発明の実施の形態を共同利用コンピュータ利用方法につき説明する。
【００３５】
本発明の実施形態を説明する前に、本発明を適用する共同利用コンピュータシステム装置、特にシェアードピィシィ（ＳｈａｒｅｄＰＣ、ＳＰＣ）、について説明をする。当該シェアードピィシィは、外出中のビジネスマン等が自分のオフィスと同様のパソコン環境で仕事を行うことを可能にするパソコンであり、共同作業スペース（レンタルオフィス、自分の会社内の共同作業スペース等）に設置される。
【００３６】
ここで、ターゲットとなる利用者は、例えば、外出中に、会社・学校・インターネットのメールを読んだり、インターネット接続でネットサーフィンを行いたいビジネスマン・学生等の者のみならず、出張先などの出先にてオフィス等のパソコンアプリケーションで利用作成を行いたい者、スケジュールの合間などに時間を潰したい者などが挙げられる。
【００３７】
共同利用パソコン(シェアードピィシィ)には、ＯＳとして汎用ＯＳ（Windows98、MACOS等）を採用し、標準的なアプリケーション（文書作成ソフト、メールソフト、ＷＥＢブラウザ）を何種類かインストール済みとし、ユーザが共同で利用する。
【００３８】
なお、本発明は複数の拠点（例えばレンタルオフィス）それぞれで共同利用コンピュータを利用する際に用いられる方法であるが、本実施形態の適用では共同利用コンピュータの代表例として専ら共同利用パソコン（パソコン）を挙げて説明しているも、本発明はこれに限定されるものではなく、共同利用コンピュータとして汎用コンピュータ、携帯電話、ＰＨＳなどを用いてもよい。
【００３９】
（共同利用コンピュータシステム装置）
以下、添付図面を参照しながら、共同利用コンピュータシステム装置につき説明する。
図１は共同利用コンピュータシステム装置α、図２は共同利用コンピュータシステム装置α１のそれぞれ構成図である。なお、システム装置自体の構成は、図１乃至図２に示す共同利用コンピュータシステム装置α、α１以外の他の構成であっても良く、当該構成の規模、通信網の整備規模等の状況に応じて、又利用者のニーズに応じて適宜変更し得る。
【００４０】
図１に示す共同利用コンピュータシステム装置αにつき説明する。
共同利用コンピュータシステム装置αは、会社Ｃに構築されているＬＡＮなどの内部通信網ＮＷＣと、レンタルオフィスＬＯ１に構築されているＬＡＮなどの内部通信網ＮＷ１とを、それぞれゲートウエイＧＷを介してインターネットを始めとする外部の各種情報通信網ＮＷと接続自在とするシステム装置構成である。
【００４１】
会社Ｃに構築されている内部通信網ＮＷＣには、サーバＳＣ及びパソコンが接続されている。説明上、パソコンのうち自己専用パソコンＣＣを一台取り上げて説明する。通常、利用者は、自己専用パソコンＣＣからサーバＳＣにアクセスして、メールの読み書き、各種のネットワークサービス、ファイルサーバアクセスといった社内ネットワークサービスを利用しているほか、自己専用パソコンＣＣ内で資料作成などを行っている。
【００４２】
一方、レンタルオフィスＬＯ１の内部通信網ＮＷ１には、利用者用のパソコン（共同利用パソコン、以下単にパソコンとする）Ｃ１ｊ（添え字ｊは、レンタルオフィスＬＯ１にあるパソコンのナンバー１〜Ｍに該当、一台でもよい）が接続されると共に、当該内部通信網ＮＷ１上のサーバＳ１が接続されている。サーバＳ１には、初期設定情報ファイルＤ１１と暗号化差分ファイル群Ｄ１２なるデータが、適宜蓄積し得る。何時どのような場合に蓄積されるかについては、詳細を後述する。
【００４３】
共同利用コンピュータシステム装置αは、レンタルオフィスＬＯ１に利用者が任意の契機で赴き、会社Ｃの自分専用のパソコンＣＣと同一の利用環境にてパソコンＣ１ｊを利用可能にするシステム装置である。その為、作業環境を、保存（バックアップ）したり、復元（レストア）する為のサーバＳ１が必ず必要となる。
【００４４】
図２に示す共同利用コンピュータシステム装置α１は、図１に示した共同利用コンピュータシステム装置αの別形態であり、レンタルオフィスＬＯ１、ＬＯ２、・・、ＬＯＮという様に複数のレンタルオフィスが存在する場合である。
【００４５】
レンタルオフィスＬＯｋ（添え字ｋはレンタルオフィスのナンバーであり、１〜Ｎの任意の数）は、共同利用コンピュータシステム装置αにおけるレンタルオフィスの一つの拠点であり、何れも図１におけるレンタルオフィスＬＯ１と同一の構成であり、サーバＳｋ及びパソコンＣｋ１、・・、Ｃｋｊ（添え字ｋは１〜Ｎの任意の数でＬＯｋのｋと対応）が存在する。
【００４６】
本発明の実施形態は、共同利用コンピュータシステム装置α１に適用するものであり、共同利用コンピュータシステム装置α１の構成において、何れのパソコンＣ１１、・・、Ｃｎｊからでも作業環境の保存及び復元をすることが出来る方法を提供するものである。
【００４７】
（共同利用コンピュータ利用方法）
本発明の実施形態は、先に述べたとおり図２における共同利用コンピュータシステム装置α１の構成を用いた共同利用コンピュータ利用方法である。しかし、本実施形態の特徴を記載する為には、本実施形態のベースとなる共同利用コンピュータシステム装置αの共同利用コンピュータ利用方法の説明をすることが必要である。共同利用コンピュータシステム装置α１については、共同利用コンピュータシステム装置αの説明の後に、詳細に説明する。
【００４８】
以下、図１を参照しながら、共同利用コンピュータシステム装置αにおいてレンタルオフィスＬＯ１に設置されたパソコンＣ１１の本利用手順を説明することにより、共同利用コンピュータ利用方法を説明する。
【００４９】
＜初回利用手順＞
先ず、レンタルオフィスＬＯ１を初めて利用する場合の流れを説明することにする。ここでのポイントは、レンタルオフィスＬＯ１に赴くと、ユーザ毎にカスタマイズされた環境（ネットワーク、環境などの利用環境）から作業を直ちに開始できることにある。
【００５０】
初めて利用する場合には、以下の（手順１）〜（手順５）に従うことになる。
手順１は、次の通りである。利用者は、レンタルオフィスＬＯ１を使用するに当たり、初回の利用時には、前もって、会社Ｃ（自己専用パソコンＣＣ）からサーバＳ１にアクセスして、社内の内部通信網ＮＷＣへのアクセス権や辞書などの環境を、初期設定情報ファイルＤ１１に登録しておく（Ｆ１）。
【００５１】
手順２は、次の通りである。利用者が、レンタルオフィスＬＯ１の利用を思い立ち、レンタルオフィスＬＯ１に赴くと、例えばパソコンＣ１１を利用できる位置にいることになるが、パソコンＣ１１の利用に先立ち、初回の利用時には、利用者の正当性を認証すると共に、手順１で登録した環境を、初期設定情報ファイルＤ１１を基に当該パソコンＣ１１に構築する（Ｆ２）。
【００５２】
手順３は、次の通りである。上記手順２により環境が構築されたパソコンＣ１１を使用して、会社ＣのサーバＳＣの利用、インターネットへの接続、各種文書等の作成を行う（Ｆ３）。
【００５３】
手順４は、次の通りである。パソコンＣ１１の利用が終了の際に、利用環境（パソコンＣ１１に記憶させた情報も含む）をサーバＳ１の暗号化差分ファイル群Ｄ１２として保存する。之には、パソコンＣ１１から削除した情報は暗号化差分ファイル群Ｄ１２から削除されることも含まれる（Ｆ４）。なお、手順３において、パソコンＣ１１のハードディスクの変化に応じて、任意に、又は定期的に手順４を行ってもよい。
【００５４】
手順５は、次の通りである。パソコンＣ１１内の情報を全て完全に消去する。例えば、利用したハードディスクＨＤをフォーマットする。これにより、セキュリティを保護することができる。
【００５５】
上記した様に、初回利用の利用者の行動と利用手順は、手順１→手順２→手順３→手順４→手順５を、標準とする。
【００５６】
＜２回目以降の手順＞
次に、２回目以降の利用手順につき説明を行う。２回目以降は、前回の作業環境から、パソコンの利用を継続可能にし、以下の手順で行う。
【００５７】
手順６は、次の通りである。利用者が、２回目以降にレンタルオフィスＬＯ１の使用を思い立ち、レンタルオフィスＬＯ１に赴くと、パソコンＣ１１（前回使用したパソコンと同一である必要性はない、図３参照）を利用できる位置にいるが、パソコンＣ１１を使用するに先立ち、２回目以降の利用時に、利用者の正当性を認証し、前回手順４で保存した環境を、暗号化差分ファイル群Ｄ１２からパソコンＣ１１に復元する（Ｆ６）。
【００５８】
それ以降は、上記手順３、手順４、手順５を順に行う。即ち、２回目以降の利用者の行動及び利用手順は、手順６→手順３→手順４→手順５を、標準とする。
【００５９】
次に、図２を参照しながら、共同利用コンピュータシステム装置α１の形態、即ち複数のレンタルオフィスが存在し、各々にサーバが存在する場合の共同利用コンピュータ利用方法について説明する。
【００６０】
＜初回利用手順＞
先ず、レンタルオフィスＬＯ１を初めて利用する場合の流れを説明することにする。ここでのポイントは、レンタルオフィスＬＯ１に赴くと、ユーザ毎にカスタマイズされた環境（ネットワーク、環境などの利用環境）から作業を直ちに開始できることにある。
【００６１】
初めて利用する場合には、以下の（手順１）〜（手順５）に従うことになる。
手順１は、次の通りである。利用者は、レンタルオフィスＬＯ１を使用するに当たり、初回の利用時には、前もって、会社Ｃ（自己専用パソコンＣＣ）からサーバＳ１にアクセスして、社内の内部通信網ＮＷＣへのアクセス権や辞書などの環境を、初期設定情報ファイルＤ１１に登録しておく（Ｆ１）。
【００６２】
手順１’は、次の通りである。初期設定情報ファイルＤ１１が登録されると、サーバＳ１〜ＳＮに対して、初期設定情報ファイルＤ１１をコピーすることにより、全てのサーバにつき初期設定情報ファイルＤ１１を作成する（Ｆ１’）。
【００６３】
手順２は、次の通りである。利用者が、レンタルオフィスＬＯ１の利用を思い立ち、レンタルオフィスＬＯ１に赴くと、例えばパソコンＣ１１を利用できる位置にいることになるが、パソコンＣ１１の利用に先立ち、初回の利用時には、利用者の正当性を認証すると共に、手順１で登録した環境を、初期設定情報ファイルＤ１１を基に当該パソコンＣ１１に構築する（Ｆ２）。
【００６４】
手順３は、次の通りである。上記手順２により環境が構築されたパソコンＣ１１を使用して、会社ＣのサーバＳＣの利用、インターネットへの接続、各種文書等の作成を行う（Ｆ３）。
【００６５】
手順４は、次の通りである。パソコンＣ１１の利用が終了の際に、利用環境（パソコンＣ１１に記憶させた情報も含む）をサーバＳ１の暗号化差分ファイル群Ｄ１２として保存する。之には、パソコンＣ１１から削除した情報は暗号化差分ファイル群Ｄ１２から削除されることも含まれる（Ｆ４）。なお、手順３において、パソコンＣ１１のハードディスクの変化に応じて、任意に、又は定期的に手順４を行ってもよい。
【００６６】
手順５は、次の通りである。パソコンＣ１１内の情報を全て完全に消去する。例えば、利用したハードディスクＨＤをフォーマットする。これにより、セキュリティを保護することができる。
【００６７】
上記したように、初回利用の利用者の行動と利用手順は、手順１→手順１’→手順２→手順３→手順４→手順５を、標準とする。
【００６８】
＜２回目以降の手順＞
前回利用したレンタルオフィスを、レンタルオフィスＬＯｐ（添え字ｐは前回利用したレンタルオフィスの番号であり、１〜Ｎは任意の数）とする。説明を簡略化するために、前回利用したレンタルオフィスの番号ｐ＝１の場合について、以下に説明する。
２回目以降に使用を思い立ったレンタルオフィスがレンタルオフィスＬＯ１の場合は、上述の（共同利用コンピュータ利用方法）における＜２回目以降の手順＞と同様であるので説明を割愛する。
【００６９】
手順９は、次の通りである。２回目以降に使用を思い立ったレンタルオフィスがレンタルオフィスＬＯｋ（ｋ≠１）の場合は、レンタルオフィスＬＯｋに赴く前に、ＷＥＢブラウザ等で、前回利用したレンタルオフィスのサーバＳ１にアクセスし、ユーザ認証後、次に利用するレンタルオフィスがレンタルオフィスＬＯｋであることをＷＥＢブラウザから入力する（Ｆ９−１）。それを受けてサーバＳ１上の暗号化差分ファイル群Ｄ１２をサーバＳｋにコピーする（Ｆ９−２）。
【００７０】
手順６は、次の通りである。利用者が、２回目以降にレンタルオフィスＬＯｋの使用を思い立ち、レンタルオフィスＬＯｋに赴くと、パソコンＣｋ１（前回使用したパソコンと同一である必要性はない、図３参照）を利用できる位置にいるが、パソコンＣｋ１を使用するに先立ち、２回目以降の利用時に、利用者の正当性を認証し、前回手順４で保存した環境を、暗号化差分ファイル群Ｄ１２からパソコンＣ１１に復元する（Ｆ６）。
【００７１】
それ以降は、上記手順３、手順４、手順５を順に行う。即ち、２回目以降の利用者の行動及び利用手順は、手順９→手順６→手順３→手順４→手順５を、標準とする。
【００７２】
【実施例】
以下、実施例について、共同利用コンピュータシステム装置α１を用いた共同利用コンピュータ利用方法を、詳細に説明する。
図４は、共同利用コンピュータシステム装置αの内部構成を示したものである。
【００７３】
なお、図には、本発明の実施に必要となる範囲の内部構成であり、当然に通常のサーバ、パソコンに備わる機能は含まれており、図面上省略してある。また、図４の内部構成は、図１に示した共同利用コンピュータシステム装置αに限らず、図２、図３に示した共同利用コンピュータシステム装置α１であっても同様であり、図４では、その内部構成及び機能、ひいては本発明の差分情報利用方法を説明するための図面であり、内部通信網ＮＷＣ、ＮＷ１、・・、外部通信網ＮＷ、ゲートウエイＧＷ等はラインＬで示してある。また、矢印は各種情報のやり取りを示す。
【００７４】
共同利用パソコンＣ１ｊ（ｊは任意の数）には、ＣＤＲＯＭ１を読むＣＤＲＯＭドライブ２、共同利用パソコンＣ１ｊを使用するに際に必要となるＩＣカード３を読み取るＩＣカードＲ/Ｗ４、キーボード、マウス、マイク等の入力手段５を備え、内部には、当該共同利用パソコンの内部を制御するメイン制御手段６、ＩＣカード３に記憶されている情報への読み書きを行うカード情報読み書き手段７、初期設定情報ファイルＤ１１の情報からスクリプトを作成し当該作成したスクリプトをハードディスクＨＤに記憶させるスクリプト作成手段８、ハードディスクＨＤに記憶させたスクリプトを実行するスクリプト実行手段９、ＣＤＲＯＭ１の情報から共通初期アプリケーション環境をハードディスクＨＤに構築する共通初期アプリケーション復元手段１０、サーバＳ１の暗号化差分ファイル群Ｄ１２とハードディスクＨＤの情報とを比較しコピーファイルリスト及び削除ファイルリストから成る差分リストを抽出する差分抽出手段１１、差分抽出手段１１から差分リストを基にコピーファイルリストのファイル群を暗号化し暗号化差分ファイル群Ｄ１２に記憶させ削除ファイルリストのファイル群を暗号化差分ファイル群Ｄ１２から削除する一方、暗号化差分ファイル群Ｄ１２の各ファイルを復号しハードディスクＨＤに記憶させる暗号／復号化サーバ読み書き手段１２、ハードディスクＨＤなどの記録手段で構成される。
【００７５】
サーバＳ１は、設定登録手段２１、ＣＧＩプログラム２２、初期設定情報ファイルＤ１１、ＣＤＲＯＭ作成時刻情報２３、暗号化差分ファイル群Ｄ１２を最低限備える。自己専用パソコンＣＣには、辞書３１、ブックマーク３２など利用環境と、ＷＥＢブラウザ／ＦＴＰクライアント３３を備える。
【００７６】
ここで、図１及び図４を参照しながら、上記手順に従い、共同利用コンピュータシステム装置α各部の詳細を含め共同利用コンピュータ利用方法の実施例につき、説明する。なお、上記手順のうち、手順３及び手順５については、周知事項であるので、説明を省略する。
【００７７】
なお、共同利用コンピュータシステム装置αを使用するに先立ち、利用者には、利用に必携となる利用者毎にＩＣカード３が交付されており、ＩＣカード３には、当該ＩＣカード３のカードＩＤ（カードＩＤ＝ｉ）、鍵Ｘｉ、当該ＩＣカード３に個有のカードパスワードが登録されている。ここでのカードＩＤのｉと鍵Ｘｉの添え字ｉとは同一の番号である。
【００７８】
カードＩＤは利用者を特定するためのＩＤであり、鍵は暗号化の鍵であり、カードパスワードはＩＣカード３を持っている利用者の正当性をカード内で確認するものであり、カードパスワードを入力手段５にて入力し照合（ＩＣカード３内での照合が望ましい）を経ないと、当該ＩＣカード３にはアクセス不能とする。また、カードＩＤ及びカードパスワードの登録時に、鍵Ｘｉは自動生成されることが望ましい。ここで、利用者は、自己のカードパスワード及びカードＩＤを記憶しているものとするが、鍵Ｘｉについては、ＩＣカード３内生成されるので、利用者が知る必要性はない。
【００７９】
＜＜手順１＞＞
手順１は、利用環境を事前に登録する手順である。利用者は会社Ｃの自己専用パソコンＣＣから、レンタルオフィスＬＯ１のサーバＳ１上で起動中の設定登録手段２１にアクセスして、パソコン環境をサーバＳ１に登録する。具体的には、以下の通りである。
【００８０】
先ず、自己専用パソコンＣＣからサーバＳ１上で起動中の設定登録手段２１（ＷＥＢサーバでなど構成）にアクセスすると、ＣＧＩプログラム２２が起動され、設定登録手段２１が表示する設定画面が自己専用パソコンＣＣに表示される。当該画面の一例を図５に示す。利用者は、入力手段５を用いて、表示された設定画面ＷＥＢブラウザなどから、ユーザ名、カードＩＤ、パスワード、メールソフト種別（画面から選択）、ＰＯＰサーバ名、ＳＭＴＰサーバ名、メールアカウント、漢字変換ＩＭＥ（画面から選択）、ＷＥＢブラウザ種別（画面から選択）、辞書ファイル、ＷＥＢブックマークファイルなどの初期設定データを入力する（手順１−１）。
【００８１】
このとき、メールソフト種別、ＰＯＰサーバ名、ＳＭＴＰサーバ名、メールカウント、漢字変換ＩＭＥ、ＷＥＢブラウザ種別、辞書ファイル、ＷＥＢのブックマークファイルについては、自己専用パソコンＳＣと同一の環境を利用する場合には、自己専用パソコンＣＣのハードディスクＨＤ中の情報を自動的にサーチして、設定入力を自動化することもできる。
【００８２】
そして、ＣＧＩプログラム２２が、設定登録手段２１から初期設定データを受け取り、カードＩＤ＝ｉをキーとした初期設定情報ファイルＤ１１を作成する（手順１−２）。
【００８３】
なお、以降、説明上、メールソフト種別、ＰＯＰサーバ名、ＳＭＴＰサーバ名及びメールカウントをまとめてメール情報、ＩＭＥ種別及び辞書ファイルをまとめて辞書情報、ＷＥＢブラウザ種別及びブックマークをまとめてブラウザ情報と呼び、更に、メール情報、辞書情報及びブラウザ情報をまとめて初期設定情報を呼ぶことにする。
【００８４】
次いで、設定登録手段２１が、ＷＥＢブラウザなどから初期設定情報を受け取り、ＣＧＩプログラム２２に渡し（手順１−３）、ＣＧＩプログラム２２が、ＷＥＢブラウザなどから初期設定情報を受け取り、初期設定情報から初期設定情報ファイルＤ１１を作成する（手順１−４）。
【００８５】
初期設定情報ファイルＤ１１を作成した時点で手順１が終了する。なお、パソコン環境の登録の仕方は、上記具体例に限定されるものではなく、レンタルオフィスＬＯ１のサーバＳ１に、パソコン環境（パソコン環境の内容も上記事項に限定されない）を自己専用パソコンＣＣから登録できれば、その手法は問わない。
【００８６】
＜＜手順１’＞＞
初期設定情報ファイルＤ１１が手順１で登録された後、メイン制御手段６は、サーバＳ１〜ＳＮに対して、初期設定情報ファイルＤ１１をコピーする。これにより、全てのサーバに初期設定情報ファイルＤ１１が作成される。
【００８７】
＜＜手順２＞＞
手順２は、初回の利用者が、利用者の正当性を認証し、上記手続１で登録した環境をパソコンＳＣ１ｊに構築する手順である。なお、このとき、共通初期アプリケーション環境の復元が終了していることを条件とする。即ち、パソコンＣ１ｊのハードディスクＨＤが、共通初期アプリケーション環境になっていればよい。共通初期アプリケーション環境復元、及びその前提となる共通初期アプリケーション環境作成についての詳細は後述する。
【００８８】
先ず、利用者は、パソコンＣ１ｊに接続されたＩＣカードＲ/Ｗ４にＩＣカード３（ここで、カードＩＤはＩＤ＝ｉとする）を挿入（又は提示）する（手順２−１）。
【００８９】
次に、利用者は、パソコンＣ１ｊの画面から、上記手順１で事前に登録した「ユーザ名、パスワード、及びカード発行時にユーザのみがＩＣカード３にアクセス可能に設定したカードパスワード」を、図示しない表示画面を見ながら、入力手段５にて投入し、メイン制御手段６が、当該投入されたデータ群を格納する（手順２-２）。
すると、メイン制御手段６は、カード情報読み書き手段７に対して、ＩＣカード３に記憶してあるカードＩＤと鍵Ｘｉの読み出しを指示すると共に、当該格納したカードパスワードをカード情報書き込み手段７に渡す（手順２−３）。
【００９０】
カード情報読み書き手段７が、当該指示及びカードパスワードを受け取ると、受け取ったカードパスワードをＩＣカード３上で照合の上、カードＩＤ及び鍵Ｘｉの読み出しを行い、メイン制御手段６にカードＩＤと鍵Ｘｉを渡す（手順２−４）。
すると、メイン制御手段６が、サーバＳ１上のカードＩＤがｉに対応するレコードを検索して、当該レコード上のユーザ名とパスワードを読み出した後に、ユーザ名とパスワードが、入力されたデータとそれぞれ同一か判断して確認した上で、初期設定情報ファイルＤ１１から初期設定情報を読み出す（手順２−５）。
【００９１】
その後、メイン制御手段６は、手順２−５で読み出した初期設定情報に対応した初期環境を構築する（手順２−６）。具体的には、例えば、メイン制御手段６は、メール情報、辞書情報、ブラウザ情報を、スクリプト作成手段８に渡して、メールスクリプト、辞書スクリプト、ブラウザスクリプト（各スクリプトはスクリプト実行手段９のインタプリタ上にて実行可能なスクリプト言語）を作成し、ハードディスクＨＤに渡し、ハードディスクＨＤに格納される。そして、スクリプト実行手段９が、ハードディスクＨＤから各スクリプトを読み出し、各スクリプトが実行される。これにより、メールソフト、辞書、ＷＥＢブラウザの初期設定入力動作を利用者に代わってスクリプト実行手段９が行い、初期の環境構築がなされる。即ち、パソコンＣ１ｊのハードディスクＨＤが、スクリプト実行手段９により、共通初期アプリケーション環境から１回目初期環境になる。なお、図４におけるハードディスクＨＤ内の各環境の包含関係は、図示した関係に限らない。
以上が、手順２に関する詳細である。
【００９２】
＜＜手順４＞＞
手順４は、パソコンＣ１ｊの利用が終了の際に、利用環境をサーバＳ１に保存する手順である。なお、終了時に行う必然性はなく、パソコンＣ１ｊを使用中、定期的、任意に行ってもよい。ここでのポイントは、利用者がバックアップすること自体に要する時間を極力短くすること、パソコンＣ１ｊからサーバＳ１へ送られかつ、サーバＳ１で記憶される情報が、パソコンＣ１ｊ内（ＩＣカード３内を含む）で暗号化されること、等が挙げられる。以下の説明においては、パソコン終了時における場合を取り上げる。
【００９３】
メイン制御手段６は、サーバＳ１からＣＤＲＯＭ作成時刻情報２３（詳細は後述する）を読み出すと共に、差分抽出手段１１を起動させ、読み出したＣＤＲＯＭ作成時刻情報２３を差分抽出手段１１に渡す（手順４−１）。
【００９４】
そして、差分抽出手段１１は、ハードディスクＨＤに記録されているファイルについて、ＣＤＲＯＭ作成時刻情報２３以前に作成されたファイル群を初期アプリケーション未変更ファイル群として、その他のファイル群を初期アプリケーション変更ファイル群として、それぞれ認識する一方、差分抽出手段１１は、暗号化差分ファイル群Ｄ１２のファイル情報（ファイル名と更新日時）と初期アプリケーション環境変更ファイル群のファイル情報（ファイル名と更新日時）とを比較し、以下の認識をする。
▲１▼暗号化差分ファイル群Ｄ１２に存在せずに初期アプリケーション変更ファイル群のみに存在するファイルをコピーファイル群として認識する。
▲２▼暗号化差分ファイル群Ｄ１２と初期アプリケーション変更ファイル群双方に存在するファイルについては、当該ファイルの更新日時を比較し、初期アプリケーション変更ファイル群に存在するファイルの更新日時が新しい場合のみ、コピーファイル群として認識する。
▲３▼初期アプリケーションファイル群に存在せず、暗号化差分ファイル群Ｄ１２のみに存在するファイルは、削除ファイル群として認識する。
【００９５】
そして、上記認識に基き、差分抽出手段１１は、コピーファイル群として認識したファイルについては、かかるファイル名のリストをコピーファイルリストとし、一方、削除ファイル群として認識したファイルについては、かかるファイル名のリストを削除ファイルリストとして、それぞれ作成する（手順４−２）。
【００９６】
差分抽出手段１１が、コピーファイルリスト、削除ファイルリストを暗号／復号化サーバ読み書き手段１２に送る（手順４−３）。
【００９７】
暗号／復号化サーバ読み書き手段１２は、メイン制御手段６から得たコピーファイルリストに対応するファイルを順番にファイル単位で鍵Ｘｉで各々暗号化し（ここでの暗号のアルゴリズムについては、任意の共有鍵暗号アルゴリズムでよく、暗号化の手法自体は問わない）、ファイル構造（ディレクトリやファイルの更新日時など）を保存した状態で、サーバＳ１上の当該ＩＣカード３のカードＩＤ（カードＩＤ＝ｉ）の領域に暗号化差分ファイル群Ｄ１２としてコピーする一方、差分抽出手段１１から送られた削除ファイルリストに対応するファイルを、サーバＳ１上の当該ＩＣカード３のカードＩＤ（カードＩＤ＝ｉ）の領域の暗号化差分ファイル群Ｄ１２から削除する（手順４−４）。
【００９８】
以上、パソコンＣ１ｊ使用終了後に暗号化差分バックアップの手法の一例である。ここでは、パソコンＣ１ｊ使用終了時点でハードディスクＨＤに格納される情報とサーバＳ１に格納される情報が一致する様に、暗号化差分ファイル群Ｄ１２が更新・削除されて一致すれば、その手法については問わない。
【００９９】
例えば、上記手順によれば、暗号化は全てパソコンＣ１ｊの暗号／復号化サーバ読み書き手段１２で行っているが、ＩＣカード３内にてなされても何ら問題はない。つまり、暗号／復号化サーバ読み書き手段１２を暗号／復号化手段とサーバ読み書き手段とにわけ、更に、当該暗号／復号化手段を当該ＩＣカード３に内蔵し、鍵Ｘｉを先の手順２で読み出すことなく行うこともできる。かかる場合には、暗号化プログラム、復号化プログラムがＩＣカード３内に格納されていることが条件となる。
以上が手順４に関する詳細である。
【０１００】
＜＜手順９＞＞
手順９は、２回目以降において、同一の利用者がレンタルオフィスＬＯｋ（ｋ≠１）を使用することを思い立った場合の手順である。本手順は、ＷＥＢブラウザＣＷからレンタルオフィスＬＯ１のサーバＳ１上で起動中の認証手段２４にアクセスする。ＷＥＢブラウザＣＷは、自己専用パソコンＣＣであってもよく、ｉモード等の携帯型ＷＥＢブラウザでもよく、また、他のインターネットにアクセスできる如何なるパソコンのＷＥＢブラウザでもよい。具体的には、以下の通りである。
【０１０１】
先ず、ＷＥＢブラウザＣＷからサーバＳ１で起動中の認証手段２４（ＷＥＢサーバなどで構成）にアクセスすると、ＣＧＩプログラム２２が起動され、ＷＥＢブラウザＣＷには、ユーザ名とパスワードを入力要求するユーザ認証画面を表示する。利用者は、ユーザ認証画面で「ユーザ名、パスワード」を入力する。するとＣＧＩプログラムは、初期設定情報ファイルの利用者に対応するレコードのユーザ名とパスワードを読み出した後に、そのユーザ名とパスワードがユーザが入力したデータと同一か判断して確認した上で、ＷＥＢブラウザＣＷには、「次に利用するレンタルオフィス番号」を入力要求する画面を表示する。利用者は、次に利用する任意のレンタルオフィス番号（１〜Ｎ、ここではｋとする）を入力する。それを受けてＣＧＩプログラム２２は、サーバＳ１上の暗号化差分ファイル群Ｄ１２をサーバＳｋにコピーする。
【０１０２】
＜＜手順６＞＞
手順６は、二回目以降において同一の利用者が、レンタルオフィスＬＯｋを使用する場合の手順である。先ず、利用者の正当性を認証することが必須となり、手順４に従ってバックアップした暗号化差分ファイル群Ｄ１２をパソコンＣｋｊ（前回使用したパソコンである必要性はない）に、復元させることになる。以下に、その例を説明する。
【０１０３】
利用者は、パソコンＣｋｊに接続したＩＣカードＲ/Ｗ４にカードＩＤがｉである自分のＩＣカード３を挿入（又は提示）する（手順６−１）。
【０１０４】
次に、利用者は、パソコンＣｋｊの画面から、上記手順１で事前に登録してある「ユーザ名、パスワード、及びカード発行時にユーザのみがカードにアクセス可能に設定したカードパスワード」を、図示しない表示画面を見ながら、入力手段５にて投入し、メイン制御手段６が、当該投入されたデータ郡を格納する（手順６−２）。
すると、メイン制御手段６は、カード情報読み書き手段７に対して、ＩＣカード３に記憶してあるカードＩＤと鍵Ｘｉの読み出しを指示すると共に、当該格納したカードパスワードをカード情報読み書き手段７に渡す（手順６−３）。
【０１０５】
カード情報読み書き手段７が、当該指示及びカードパスワードを受け取ると、受け取ったカードパスワードをＩＣカード３上で照合の上、メイン制御手段６にカードＩＤ（ここでは、ｉ）及び鍵Ｘｉを渡す（手順６−４）。
【０１０６】
すると、メイン制御手段６は、サーバＳ１上のカードＩＤがｉに対応するレコードを検索して、当該レコード上のユーザ名とパスワードを読み出した後に、ユーザ名とパスワードが、ユーザが入力したデータと同一か判断して確認した上で、暗号／復号化サーバ読み書き手段１２にリストア指示を送る（手順６−５）。
【０１０７】
その後、暗号／復号化サーバ読み書き手段１２は、メイン制御手段６からのカードＩＤ及び鍵Ｘｉとを受け取り、暗号化差分ファイル群Ｄ１２のファイル群を順番に読み出し、鍵Ｘｉで復号化しながら（復号化の手法は、手順４において利用した任意の共有鍵暗号手法でよい）、逐次ハードディスクＨＤに書き込む（手順６−６）。つまり、ハードディスクＨＤが共通初期アプリケーション環境から２回目以降初期環境になる。
之により、２回目以降の初期環境が生成され、前回使用した際と同じ環境を構築できる。
【０１０８】
ここでも、手順４の暗号化の際と同様に、復号化はＩＣカード３内にてなされても何ら問題はない。
以上が手順６に関する詳細である。
【０１０９】
＜＜共通初期アプリケーション環境作成＞＞
ここで、共通初期アプリケーション環境作成につき詳細する。以下、レンタルオフィスＬＯ１〜ＬＯＮについての共通処理なので、レンタルオフィスＬＯ１についてのみ説明する。
この共通環境アプリケーション環境作成は、レンタルオフィスをオープンした際に、レンタルオフィスＬＯ１の提供者（オフィスサービス提供者）が１度だけ行う必要がある。
【０１１０】
具体的には、以下の手法が考えられるが、別に之に限定されるものではない。
例えば、全利用者の共通初期アプリケーション環境の入った起動用記録媒体（ＣＤＲＯＭ１など）を、ＤｒｉｖｅＩｍａｇｅＰＲＯといったハードディスクＨＤ上の全てのデータを一括して保存時の状態に復元可能にするアプリケーション（公知）を使用して、共通初期アプリケーション環境を作成する一方、ＣＤＲＯＭ作成直後に、その時刻情報をサーバＳ１にＣＤＲＯＭ作成時刻情報２３として格納する手法がある。
【０１１１】
このとき、保存する共通初期アプリケーション環境のデータとして、初期設定設定データベースで指定できるメールソフト種別、漢字変換ＩＭＥ種別、ＷＥＢブラウザ種別に対応するアプリケーションがインストールされている必要がある。また、その他の文書等の作成用アプリケーション、レンタルオフィスＬＯ１のパソコンＣ１ｊで提供されるサービスのアプリケーションもインストールされる必要がある。
以上が、共通初期アプリケーション環境作成の手順である。
【０１１２】
＜＜共通初期環境アプリケーション環境の復元＞＞
また、共同利用コンピュータシステム装置αは、共同利用パソコンを構成の一要素とするため、一人の利用者に係る情報のセキュリティを確保すると共に、何れの利用者が共同利用パソコンを使用する際に、同一の環境を整備しておく必要性がある。その作業が共通初期アプリケーション環境の復元である。
【０１１３】
利用者は、＜＜共通初期アプリケーション環境作成＞＞で作成した起動用記録媒体（起動用ＣＤＲＯＭ１）をパソコンＣ１ｊに付属する起動用記録媒体ドライブ（ＣＤＲＯＭドライブ２）に挿入し、パソコンＣ１ｊの電源を投入する。すると、例えばＣＤＲＯＭ１からブート後に、ハードディスクＨＤ上に、前記初期アプリケーションである「ＯＳ、利用可能なソフト（メールソフト、ＷＥＢブラウザ、辞書、その他のアプリケーション）」を展開することになる。なお、別にレンタルオフィス提供者が行うことも考えられる。
【０１１４】
＜＜手順８＞＞
なお、例えば、図１の共同利用コンピュータシステム装置αにて、会社Ｃの自己専用パソコンＣＣからの上記手順１を踏まない場合、即ち、レンタルオフィスＬＯ１を使用したいとにわかに思い立ったとき、また、特に手順１を行うまでの当該利用者に係る利用環境に関する情報の登録の手間を惜しまない場合では、レンタルオフィスＬＯ１に赴き、共通初期環境アプリケーション環境下で、以下の手順８を踏むことになる。
【０１１５】
利用者は、パソコンＣ１ｊに接続したＩＣカードＲ/Ｗ４にカードＩＤがｉである自分のＩＣカード３を挿入（又は提示）する（手順８−１）。
次に、利用者は、パソコンＣ１ｊの画面から、「ユーザ名、パスワード、及びカード発行時にユーザのみがカードにアクセス可能に設定したカードパスワード」を、図示しない表示画面を見ながら、入力手段５にて投入し、メイン制御手段６が、当該投入されたデータ群を格納する（手順８−２）。
【０１１６】
すると、メイン制御手段６は、カード情報読み書き手段７に対して、ＩＣカード３に記憶してあるカードＩＤと鍵Ｘｉの読み出しを指示すると共に、当該格納したカードパスワードをカード情報読み書き手段７に渡す（手順８−３）。
以上は、上記手順６と同じ手順を行うことで達成できるものであり、実施（プログラム化等）の際の手間を省くことができる。又、ユーザ名、パスワード及びカードＩＤは、かかる時（又は暗号化差分バックアップ処理の最初に）、サーバＳ１初期設定情報ファイルＤ１１に設定されることになる。
【０１１７】
上述の手順の流れを整理すると、図６のようになる。
複数の拠点にサーバを持つ共同利用コンピュータシステム装置の共同利用コンピュータ（シュアードピィシィ）の使用で、前回利用した拠点と次に利用する拠点とが異なる場合に関する標準的な手順は、ＳＴ１→ＳＴ２→ＳＴ３→ＳＴ３’→ＳＴ４→ＳＴ５→ＳＴ１０→ＳＴ１１→ＳＴ１２→（ＳＴ１３→）ＳＴ１４→ＳＴ１→ＳＴ１５→ＳＴ１６→ＳＴ８→ＳＴ９→ＳＴ１０→ＳＴ１１→ＳＴ１２→（ＳＴ１３→）ＳＴ１４→・・である。ここで、共同利用コンピュータ（シュアードピィシィ）は、共通初期アプリケーション環境の作成が事前になされているものとする。
【０１１８】
なお、このプロセス自体も特に、上記本発明の特徴を一側面から示したものであり、下記する効果を奏する範囲において、又システムの構成態様に応じて、適宜変更実施し得るものである。
【０１１９】
以上、本発明の実施形態を説明したが、本発明は、必ずしも上記した事項に限定されるものではなく、本発明の目的を達し、下記する効果を奏する範囲において、適宜変更実施可能である。
【０１２０】
【発明の効果】
本発明によれば、ある拠点のサーバ（第１サーバ）支配下の共同利用コンピュータの利用後に、他の拠点のサーバ（第２サーバ）支配下の共同利用コンピュータを使用する場合にのみ、第１サーバに記憶された暗号化差分情報を、第２サーバに複写するので、共同利用コンピュータが複数の拠点に存在し、かつ各拠点で共同利用コンピュータが同一のサーバを利用する場合に、全拠点のサーバ間でミラーリング方法を用いる手法と比較して、通信網のトラフィック、サーバの負荷及びサーバのファイル容量を軽減することが可能となり、場所にとらわれず、異なる複数の拠点のサーバで自分のパソコン環境を即座に且つ高いセキュリテイで復元することが実現できるという優れた効果を奏する。
【図面の簡単な説明】
【図１】本発明の一実施形態である共同利用コンピュータ利用方法を説明する為の共同利用コンピュータシステム装置の構成図である。
【図２】本発明の一実施形態である共同利用コンピュータ利用方法を説明する為の図１とは別の共同利用コンピュータシステム装置の構成図である。
【図３】図１における共同利用コンピュータシステム装置における、図１とは別の共同利用コンピュータ利用方法の形態を示したものである。
【図４】図１における共同利用コンピュータシステム装置における内部の構成図である。
【図５】本発明の一実施形態である共同利用コンピュータ利用方法の手順１における画面表示の一例である。
【図６】本発明の一実施形態である共同利用コンピュータ利用方法の全体の流れ図である。
【符号の説明】
α、α１…共同利用コンピュータシステム装置
Ｃ…会社
ＣＣ…自己専用パソコン
Ｃ１１、Ｃ１ｊ、ＣＮ１、ＣＮｊ…共同利用パソコン（パソコン）
ＣＷ…ＷＥＢブラウザ
Ｄ１１…初期設定情報ファイル
Ｄ１２…暗号化差分ファイル群
Ｇ…画面
ＧＷ…ゲートウエイ
ＨＤ…ハードディスク
ＮＷ…外部通信網
ＮＷＣ、ＮＷ１、ＮＷＮ…内部通信網
Ｌ…ライン
ＬＯ１、ＬＯＮ…レンタルオフィス
１…ＣＤＲＯＭ
２…ＣＤＲＯＭドライブ
３…ＩＣカード
４…ＩＣカードＲ/Ｗ
５…入力手段
６…メイン制御手段
７…カード情報読み書き手段
８…スクリプト作成手段
９…スクリプト実行手段
１０…共通初期アプリケーション復元手段
１１…差分抽出手段
１２…暗号／復号化サーバ読み書き手段
２１…設定登録手段
２２…ＣＧＩプログラム
２３…ＣＤＲＯＭ作成時刻情報
２４…認証手段
３１…辞書
３２…ブックマーク
３３…ＷＥＢブラウザ／ＦＴＰクライアント
【図１】
0003703708.tif 000002
【図２】
0003703708.tif 000003
【図３】
0003703708.tif 000004
【図４】
0003703708.tif 000005
【図５】
0003703708.tif 000006
【図６】
0003703708.tif 000007